(57)【要約】【課題】カバー部材と通気金具部材を、比較的に安価に更新するための防水配管装置を提供する。【解決手段】防水継手に接続するためのフランジ部と、前記フランジ部と接続するための通気金具部と、を有し、前記通気金具部は、前記フランジと接続するための筒状を呈する内筒部と、前記内筒部を覆い、筒状を呈する外筒部と、を具備するカバー部と、前記カバー部と接続し、前記フランジ部を通じて前記内筒部に流入した排気を、下方へ排気するドーム状の天井部本体を有する天井部と、をさらに有する防水配管装置である。【選択図】          図１
2020002738.tif 000002
【特許請求の範囲】
【請求項１】
防水継手に接続するためのフランジ部と、
前記フランジ部と接続するための通気金具部と、を有し、
前記通気金具部は、前記フランジと接続するための筒状を呈する内筒部と、前記内筒部を覆い、筒状を呈する外筒部と、を具備するカバー部と、
前記カバー部と接続し、前記フランジ部を通じて前記内筒部に流入した排気を、下方へ排気するドーム状の天井部本体を有する天井部と、をさらに有する防水配管装置。
【請求項２】
前記前記内筒部に流入した排気は、ドーム状の天井部本体を有する前記天井部を通じて、内筒部と、前記内筒部を覆う筒状を呈する前記外筒部と、の間を通過する請求項１記載の防水配管装置。
【請求項３】
前記カバー部と、前記天井部は、スライド可能に接続された請求項１又は２記載の防水配管装置。
【請求項４】
前記カバー部と、前記天井部との間に防虫網を配置した請求項１から３いずれか１項記載の防水配管装置。
【発明の詳細な説明】
【技術分野】
【０００１】
本発明は、更新用の防水配管装置に関するものである。
【背景技術】
【０００２】
集合住宅における排水の円滑化のために、屋上を貫通する排水立管を設置して屋上から給排気することが行われる。この場合に、屋上スラブを貫通するため貫通部分には防水処理が必要となる。この部分の施工方法について、屋上スラブを貫通する縦管に、防水継手を接続し、その防水継手に、カバー部材と、調節管部材と、通気金具部材を接続している。この通気金具部材はベントキャップと呼ばれるもので、例えば屋上に設置する吸気や排気するための開口部に取り付ける蓋のようなものであり、雨水の浸入や虫の侵入を防ぐために、上部がドーム状を呈し、その縦管から上方に立ち上った通気を下方に排気するという構成を有している。
【０００３】
しかしながら、長年の使用により、カバー部材と、調節管部材と通気金具部材が腐食し、それらを更新する必要が生じる。例えば図７において、防水継手１２０とカバー部材３００と、調節管部材３１０と通気金具部材３２０が示されている。この場合において、防水継手１２０は、建物１００の防水層１３０に覆われているために、防水継手１２０の更新は現実的ではなく、もっぱらカバー部材３００と、調節管部材３１０と、通気金具部材３２０の更新が求められている。
【０００４】
この場合に、例えば、特開２００６−１２４９８１号公報において開示されている、「立上管保護部材」を使用することにより、更新することができる。この「立上管保護部材」を使用する場合において、接続継手の上部において、新たな調節管部材を設置してから上記公報に記載されている取付金具を配置し、その取付金具に、上記「立上管保護部材」を取り付ける。この場合に「立上管保護部材」を支持するために、新たな調節管部材を配置するする必要がある。さらにこの新たな調節管部材を配置するためには、上記カバー部材３００を使用する必要がある。しかしながら、カバー部材３００を更新すると費用がかさむために、この古いカバー部材３００を使用したまま、この上から、「立上管保護部材」を被せるという方法を講じている。
【０００５】
しかしながら、このカバー部材３００は、本来更新すべきものであり、さび等が付着している場合がある。従って、このカバー部材の上から上述の「立上管保護部材」を被せるという手段を講じてもその内部に配置されたそのカバー部材によりいわば、「錆をもらう」ということになり、カバー部材と通気金具部材を更新するという目的を完全に達成することができないという問題が生じる。
【先行技術文献】
【特許文献】
【０００６】
【特許文献１】特開２００６−１２４９８１号公報
【発明の開示】
【発明が解決しようとする課題】
【０００７】
本発明は前記の点に着目してなされたもので、その課題は、カバー部材と通気金具部材を、比較的に安価に更新するための防水配管装置を提供することである。
【課題を解決するための手段】
【０００８】
前記の課題を解決する第１観点の防水配管装置は、防水継手に接続するためのフランジ部と、フランジ部と接続するための通気金具部と、を有し、通気金具部は、フランジと接続するための筒状を呈する内筒部と、内筒部を覆い、筒状を呈する外筒部と、を具備するカバー部と、カバー部と接続し、フランジ部を通じて前記内筒部に流入した排気を、下方へ排気するドーム状の天井部本体を有する天井部と、をさらに有するというものである。
【０００９】
また、第２観点の防水配管装置は、第１観点において、内筒部に流入した排気は、ドーム状の天井部本体を有する天井部を通じて、内筒部と、内筒部を覆う筒状を呈する外筒部と、の間を通過するというものである。
【００１０】
また、第３観点の防水配管装置は、第１観点から第２観点において、カバー部と、天井部は、スライド可能に接続されたというものである。
【００１１】
また、第４観点の防水配管装置は、第１観点から第３観点において、カバー部と、天井部との間に防虫網を配置したというものである。
【発明の効果】
【００１２】
本発明は以上のように構成され、かつ、作用するものであるから、カバー部材と通気金具部材を、比較的に安価に更新するための防水配管装置を提供することができる。
【図面の簡単な説明】
【００１３】
【図１】本実施例の防水配管装置の断面図である。
【図２】Ａは、フランジ部の平面図である。ＢはＡの２Ｂ−２Ｂ線断面図である。
【図３】Ａは、通気金具部の平面図である。Ｂは、通気金具部の正面図である。Ｃは、通気金具部の底面図である。
【図４】Ａは、通気金具部の左側面図である。Ｂは、通気金具部の右側面図である。Ｃは、図３Ａの４Ｃ−４Ｃ線断面図である。
【図５】防虫網の平面図である。
【図６】防水配管装置における天井部を、カバー部に対しスライド移動させた平面図である。
【図７】Ａは、従来の防水継手と、カバー部材と、調節管部材と  通気金具部材との断面図である。Ｂは、従来の通気金具部材の平面図である。
【発明を実施するための最良の形態】
【００１４】
以下、図示の実施形態を参照して本実施例について説明する。図１において建造物である集合住宅の屋上のスラブ１００を貫通するように縦管１１０が配置されている。この縦管１１０は、集合住宅における排水の円滑化のために、屋上を貫通するように設置して屋上から吸気を取り入れることが行われている。また、この縦管１１０に、防水継手１２０が接続されている。防水継手１２０は、雨水等の侵入を阻止するために、防水効果を有する防水層１３０によって覆われている。なお、防水継手１２０は、鋳造品であることが好ましい。
【００１５】
本実施例の防水配管装置１０は、上記防水継手１２０に接続されるもので防水層１３０に覆われたその防水継手１２０を再使用するものである。すなわち、図７における、防水継手１２０の上方に配置されているカバー部材３００と、調節管部材３１０と通気金具部材３２０とを更新するものである。なお防水継手１２０の内部１２１は筒状を呈しその上端部１２２は、平坦な鍔状を呈する。なお後述のフランジ部２０と接触して固定するために、防水継手螺子孔１２０ａを有する。なお、防水継手螺子孔１２０ａは、図示しないが３箇所同心円状に配置している。
【００１６】
防水配管装置１０は、給排気をするためのものであり、フランジ部２０と、通気金具部３０とを有する。また、通気金具としての通気金具部３０は、カバー部４０と天井部５０とを有する。フランジ部２０は、筒状を呈するフランジ本体部２１と、下端部２２を有し、その下端部２２は、左右外方へ突出した平坦な鍔状を呈するものである。下端部２２は、防水継手１２０の上端部１２２と接続するために、平面視においてフランジ本体部２１の周囲に螺子孔２２ａを３箇所同心円状に配置している。これによりボルト２５とナット２６で、防水継手螺子孔１２０ａと、螺子孔２２ａとを接続して、防水継手１２０と、フランジ部２０とを接続する。
【００１７】
通気金具として使用することができる通気金具部３０は、縦管１１０内の給排気をするために設けられており、さらに雨水の侵入を防ぐために設けられている。また、通気金具部３０は、上記のとおり、カバー部４０と天井部５０とを有するものである。カバー部４０は、フランジ部２０と、防水継手１２０との接続部分への雨水の侵入を防ぐものであり、この接続部分を保護するためのものである。
【００１８】
カバー部４０は、内筒部４１と外筒部４２と、それらを連結する上端部４３とを有する。内筒部４１は、文字通り、筒状を呈し、上述の、筒状を呈するフランジ本体部２１と接続するためのものである。また、内筒部４１は、フランジ本体部２１の外周部分と接するように配置するために、そのフランジ本体部２１と内筒部４１との径差は、嵌め合い時に抵抗を生じる径差であることが好ましく、内筒部４１の径はフランジ本体部２１よりも大であることが好ましい。また、また、内筒部４１は、固定穴４１ａを有し、ボルト４２をその固定穴４１ａに進入するように螺子止めすることで、そのボルト４１ｂが、フランジ部２０におけるフランジ本体部２１に接触し、さらに、そのボルト４１ｂをそのフランジ本体部２１に押し付けることで、そのフランジ部２０を内筒部４１に固定することができる。
【００１９】
外筒部４２は、文字通り、筒状を呈し、内筒部４１全体を覆うように、その径と下方における長さが大きく設定されており、その通気金具部３０を配置した状態において防水継手１２０と、防水層１３０の接続部分を覆うように垂下される構成である。いわば内側に内筒部４１を配置し外側に外筒部４２を配置した２重構造を呈している。
【００２０】
外筒部４２は、止め孔４２ａを有している。止め孔４２ａは側面視において内筒部４１における固定穴４１ａと同じ高さに配置することが好ましく、止め孔４２ａを通じて、固定穴４１ａに対し４１ｂを螺子止めするためのものである。なお、止め孔４２ａは、ゴムキャップ４２ｂで塞ぐことができる。雨水の侵入を防止するためである。
【００２１】
上端部４３は、底面視において、細長い円弧状の通気孔４３ａを、内筒部４１を囲むように複数配置している。これは、すずめなどの小鳥が侵入することを防止するためのものである（図３Ｃ参照）。
【００２２】
また、上端部４３は、平面視において、天井部５０に対して回転するように、スライド移動可能に（図６参照）固定するための固定台座４４とスライド台座４５とを有する（図３、４参照）。また、固定台座４４は平面視円形の外筒部４２の外方に突出して配置されており、スライド台座４５は、外筒部４２の外方に突出して配置されており、外筒部４２を挟んで、固定台座４４と対向する位置に配置されている。また、固定台座４４は、孔である固定台座孔４４ａを有している。さらに、スライド台座４５は、孔であるスライド台座孔４５ａを有している。これらについては後述する。固定台座４４とスライド台座４５は、平坦であり平面視矩形状を呈している。
【００２３】
天井部５０は、その本体となる天井部本体５１を有し、天井部本体５１は、いわゆるベントキャップに近似しその形状はドーム状を呈している。天井部本体５１は平面視円形状を呈し、上記固定台座４４と螺子６０を介して接続するための天井部台座５２とを有している。また、天井部スライド台座５３と、を有している。天井部台座５２と、天井部スライド台座５３は、平坦であり平面視矩形状を呈している。天井部５０はつまみ部５５を有している。このつまみ部５５は、半球状であるドーム状を呈している天井部本体５１の形状に沿うように、設けられていて、薄板状を呈するものである。図示しない使用者は、つまみ部５５を把持することにより、平面視において、上端部４３が天井部５０に対して回転するように、スライド移動が容易となる。
【００２４】
天井部台座５２と、天井部スライド台座５３は、天井部本体５１を挟んで対向する位置に配置されており、天井部台座５２は孔である天井部台座孔５２ａを有している。また、天井部スライド台座５３は、切り欠き状を呈する欠き部５３ａを有している。
【００２５】
カバー部４０と天井部５０とを重ね、スライド台座４５におけるスライド台座孔４５ａと、天井部台座５２における天井部台座孔５２ａとを連通するように重ね、螺子６０で止めると共に、スライド台座４５におけるスライド台座孔４５ａと、天井部スライド台座５３における、欠き部５３ａとを重ね、蝶螺子６５で止める。この蝶螺子６５を取りはずすことで、その螺子６０を中心に天井部５０をカバー部４０に対し水平に回転させることで、その天井部５０に対してカバー部４０をスライド移動させることができる（図６参照）。これにより、カバー部４０が露出することになり、上端部４３に配置した複数の細長い円弧状の通気孔４３ａに、詰まったごみなどを、取り除くことができる。また、屋上から配管内を高圧洗浄する、あるいは、点検するために使用することができる。なお、スライド移動させる場合において、つまみ部５５を把持することができるので、天井部５０に対するカバー部４０のスライドが容易である。
【００２６】
上記構成の本実施例の防水配管装置１０は、金属で作成することが好ましく、アルミニウム製であることが好ましい。また、ステンレスあるいは，ＡＢＳ、塩化ビニルなどの合成樹脂でもよい。本実施例の防水配管装置１０を、図７において、取り付けられているカバー部材３００と、調節管部材３１０と通気金具部材３２０とを更新するために、それらを取り外し、防水継手１２０の上端部１２２に、フランジ部２０を取り付ける。なお、このときにパッキング２００を取り付けることができる。パッキング２００は、防水継手１２０の上端部１２２に配置し、ボルト２５とナット２６の締め付け力を利用して締め付け、これによって外部から防水配管装置１０の内部へ水分が侵入するのを防止する雨水進入防止機能を有している。
【００２７】
フランジ部２０における下端部２２の３箇所に配置した螺子孔２２ａと、防水継手１２０における防水継手螺子孔１２０ａとを重なるように合わせ、ボルト２５とナット２６で、固定する。さらに、フランジ部２０と通気金具部３０とを固定する。
【００２８】
フランジ部２０における内筒部４１の外部に、通気金具部３０におけるカバー部４０の内筒部４１が接するように被せ、外筒部４２における止め孔４２ａを通じて、固定穴４１ａに対しボルト４２で固定することで、本実施例の防水配管装置１０を防水継手１２０に取り付けることができる。なお、防虫網７０を、上端部４３の上部に配置することで、さらに昆虫の侵入を防止することができる（図１、５参照）。
【００２９】
本実施例の防水配管装置１０は、縦管１１０から防水継手１２０の内部１２１を通じて、排気を流通させ、フランジ部２０のフランジ本体部２１の内部を通じて排気を流通させる。さらに、通気金具部３０におけるカバー部４０と天井部５０を通じて排気を流通させる。すなわち、その排気は、カバー部４０における内筒部４１を通過し、さらに天井部５０における天井部本体５１を通じて、折り返すように下降し、カバー部４０における内筒部４１と、外筒部４２と、の間を通過して外部に輩出される。なお、外気から吸気する場合はこの逆である。このように、防水配管装置１０はカバー部４０を有しているために、強風が吹いて、通気金具部１０に対して、負圧が発生した場合においても、縦管１１０内へのその負圧の影響を緩和することができる。従って、縦管１１０に接続された図示しない、いわゆる防臭トラップへの負圧の影響を緩和することができる。
【００３０】
本実施例の防水配管装置１０は、防水層１２０に覆われた防水継手１２０をそのまま使用することで、工期及び工費を最小限度に止められるとともに、工事の前後において躯体構造に変化が生じないとともに、住宅の資産価値なども高められる。また、図７における防水継手１２０の上部をすべて更新すると共に、従来のものは通気金具と縦管とカバーで構成された従来のものに比して、いわゆる部品点数を削減することができる。さらに、本実施例の防水配管装置１０は、防水継手１２０の長さ（高さ）に依存することなく取り付けることができるために、その高さのいかんに関わらず、防水配管装置１０を配置することができる。また、防水配管装置１０は、従来の「立上管保護部材」より、少ないスペースで改修することができる。
【符号の説明】
【００３１】
１０  防水配管装置
２０  フランジ部
３０  通気金具部
４０  カバー部
４１  内筒部
４２  外筒部
５０  天井部
６０  防虫網
１００  屋上のスラブ
１１０  縦管
１２０  防水継手
１３０  防水層
【図１】
2020002738.tif 000003
【図２】
2020002738.tif 000004
【図３】
2020002738.tif 000005
【図４】
2020002738.tif 000006
【図５】
2020002738.tif 000007
【図６】
2020002738.tif 000008
【図７】
2020002738.tif 000009